【手続補正書】
【提出日】平成23年10月26日(2011.10.26)
【手続補正１】
【補正対象書類名】特許請求の範囲
【補正対象項目名】全文
【補正方法】変更
【補正の内容】
【特許請求の範囲】
【請求項１】
Ｗｅｂサーバと、当該Ｗｅｂサーバにより提供される操作画面を表示するためのＷｅｂブラウザを備えた情報処理装置とを含む情報処理システムであって、
前記情報処理装置は、
ユーザを認証し、当該ユーザが正しく認証された場合に前記情報処理装置の使用を許可する認証手段と、
前記認証手段による認証の結果として得られた情報を用いて、前記Ｗｅｂサーバに対して前記Ｗｅｂブラウザに表示すべき操作画面を要求する要求手段と、
を備え、
前記Ｗｅｂサーバは、
前記情報処理装置から前記操作画面を要求された場合に、当該情報処理装置から前記情報を受信したか否かを判定する判定手段と、
前記判定手段により、前記情報処理装置から前記情報を受信したと判定された場合に、当該情報処理装置のＷｅｂブラウザに表示させるべき操作画面を当該情報処理装置に対して送信する送信手段と、
を備えることを特徴とする情報処理システム。
【請求項２】
前記情報は、前記認証手段による認証を受けるためにユーザが前記情報処理装置に入力したユーザＩＤを含むことを特徴とする請求項１に記載の情報処理システム。
【請求項３】
前記Ｗｅｂサーバは、
エラー情報を記録する記録手段を更に備え、
前記判定手段により、前記情報処理装置から前記情報を受信していないと判定された場合は、前記送信手段が前記操作画面を送信することなく、前記記録手段がエラー情報を記録することを特徴とする請求項１または２に記載の情報処理システム。
【請求項４】
前記情報処理装置は、
前記要求手段が前記要求を行うにあたり、前記情報を送信する必要があるか否かを判断する判断手段を更に備え、
前記要求手段は、前記判断手段により前記情報を送信する必要があると判断された場合に、前記情報を前記Ｗｅｂサーバに対して送信することにより前記要求を行い、前記判断手段により前記情報を送信する必要がないと判断された場合は、前記情報を前記Ｗｅｂサーバに対して送信することなく前記要求を行うことを特徴とする請求項１から３のいずれか１項に記載の情報処理システム。
【請求項５】
前記判断手段は、前記要求手段による前記操作画面の要求先に基づいて、前記判断を行うことを特徴とする請求項４に記載の情報処理システム。
【請求項６】
前記情報処理装置は、
前記要求手段が前記情報を送信する必要がある要求先を示す要求先情報を保持する保持手段を更に備え、
前記判断手段は、前記要求手段が前記保持手段に保持されている要求先情報が示す要求先に対して前記要求を行う場合に、前記情報を送信する必要があると判断し、前記要求手段が前記保持手段に保持されている要求先情報が示す要求先以外の要求先に対して前記要求を行う場合は、前記情報を送信する必要がないと判断することを特徴とする請求項５に記載の情報処理システム。
【請求項７】
前記認証手段によるユーザの認証が行われなかった場合に、前記要求手段は、前記情報を用いずに前記要求を行うことを特徴とする請求項１または２に記載の情報処理システム。
【請求項８】
前記判定手段により、前記情報処理装置から前記情報を受信していないと判定された場合に、前記送信手段は、前記情報処理装置から要求された操作画面に代えて、前記Ｗｅｂサーバ内で実行される認証処理に必要な認証情報をユーザが入力するための認証画面を、前記情報処理装置に対して送信することを特徴とする請求項７に記載の情報処理システム。
【請求項９】
前記情報処理装置は、
前記Ｗｅｂサーバから受信した操作画面を介して入力された指示に応じて前記Ｗｅｂサーバから実行を依頼された処理を実行する処理手段を備えることを特徴とする請求項１から８のいずれか１項に記載の情報処理システム。
【請求項１０】
Ｗｅｂサーバにより提供される操作画面を表示するためのＷｅｂブラウザを備えた情報処理装置であって、
ユーザを認証し、当該ユーザが正しく認証された場合に前記情報処理装置の使用を許可する認証手段と、
前記認証手段による認証の結果として得られた情報を用いて、前記Ｗｅｂサーバに対して前記Ｗｅｂブラウザに表示すべき操作画面を要求する要求手段と、
を備えることを特徴とする情報処理装置。
【請求項１１】
前記要求手段が前記要求を行うにあたり、前記情報を送信する必要があるか否かを判断する判断手段を更に備え、
前記要求手段は、前記判断手段により前記情報を送信する必要があると判断された場合に、前記情報を前記Ｗｅｂサーバに対して送信することにより前記要求を行い、前記判断手段により前記情報を送信する必要がないと判断された場合は、前記情報を前記Ｗｅｂサーバに対して送信することなく前記要求を行うことを特徴とする請求項１０に記載の情報処理装置。
【請求項１２】
前記判断手段は、前記要求手段による前記操作画面の要求先に応じて、前記判断を行うことを特徴とする請求項１１に記載の情報処理装置。
【請求項１３】
前記要求手段が前記情報を送信する必要がある要求先を示す要求先情報を保持する保持手段を更に備え、
前記判断手段は、前記要求手段が前記保持手段に保持されている要求先情報が示す要求先に対して前記要求を行う場合に、前記情報を送信する必要があると判断し、前記要求手段が前記保持手段に保持されている要求先情報が示す要求先以外の要求先に対して前記要求を行う場合は、前記情報を送信する必要がないと判断することを特徴とする請求項１２に記載の情報処理装置。
【請求項１４】
ユーザを認証し、当該ユーザが正しく認証された場合に自装置の使用を許可する認証手段を備えた情報処理装置に、操作画面を提供するＷｅｂサーバであって、
前記情報処理装置から前記操作画面を要求された場合に、当該情報処理装置から、前記認証手段による認証の結果として得られた情報を受信したか否かを判定する判定手段と、
前記判定手段により、前記情報処理装置から前記情報を受信したと判定された場合に、当該情報処理装置のＷｅｂブラウザに表示させるべき操作画面を当該情報処理装置に対して送信する送信手段と、
を備えることを特徴とするＷｅｂサーバ。
【請求項１５】
Ｗｅｂサーバと、当該Ｗｅｂサーバにより提供される操作画面を表示するためのＷｅｂブラウザを備えた情報処理装置とを含む情報処理システムにおける情報処理方法であって、
前記情報処理装置において、
ユーザを認証し、当該ユーザが正しく認証された場合に前記情報処理装置の使用を許可する認証工程と、
前記認証工程における認証の結果として得られた情報を用いて、前記Ｗｅｂサーバに対して前記Ｗｅｂブラウザに表示すべき操作画面を要求する要求工程と、
を備え、
前記Ｗｅｂサーバにおいて、
前記情報処理装置から前記操作画面を要求された場合に、当該情報処理装置から前記情報を受信したか否かを判定する判定工程と、
前記判定工程で、前記情報処理装置から前記情報を受信したと判定された場合に、当該情報処理装置のＷｅｂブラウザに表示させるべき操作画面を当該情報処理装置に対して送信する送信工程と、
を備えることを特徴とする情報処理方法。
【請求項１６】
Ｗｅｂサーバにより提供される操作画面を表示するためのＷｅｂブラウザを備えた情報処理装置における情報処理方法であって、
ユーザを認証し、当該ユーザが正しく認証された場合に前記情報処理装置の使用を許可する認証工程と、
前記認証工程における認証の結果として得られた情報を用いて、前記Ｗｅｂサーバに対して前記Ｗｅｂブラウザに表示すべき操作画面を要求する要求工程と、
を備えることを特徴とする情報処理方法。
【請求項１７】
ユーザを認証し、当該ユーザが正しく認証された場合に自装置の使用を許可する認証手段を備えた情報処理装置に、操作画面を提供するＷｅｂサーバの制御方法であって、
前記情報処理装置から前記操作画面を要求された場合に、当該情報処理装置から、前記認証手段による認証の結果として得られた情報を受信したか否かを判定する判定工程と、
前記判定工程で、前記情報処理装置から前記情報を受信したと判定された場合に、当該情報処理装置のＷｅｂブラウザに表示させるべき操作画面を当該情報処理装置に対して送信する送信工程と、
を備えることを特徴とする制御方法。
【請求項１８】
請求項１５または１６に記載の情報処理方法をコンピュータに実行させるためのプログラム。
【請求項１９】
請求項１７に記載のＷｅｂサーバの制御方法をコンピュータに実行させるためのプログラム。
【手続補正２】
【補正対象書類名】明細書
【補正対象項目名】０００１
【補正方法】変更
【補正の内容】
【０００１】
本発明は、Ｗｅｂサーバと、当該Ｗｅｂサーバにより提供される操作画面を表示するためのＷｅｂブラウザを備えた情報処理装置に関する。
【手続補正３】
【補正対象書類名】明細書
【補正対象項目名】００１２
【補正方法】変更
【補正の内容】
【００１２】
本発明は、上記の問題点に鑑みなされたものであり、情報処理装置での認証の結果として得られた情報を用いてＷｅｂサーバに操作画面を要求し、この情報を受信したことに応じてＷｅｂサーバが情報処理装置に操作画面を送信する仕組みを提供することを目的とする。
【手続補正４】
【補正対象書類名】明細書
【補正対象項目名】００１３
【補正方法】変更
【補正の内容】
【００１３】
上記の目的を達成するために本発明の情報処理システムは、Ｗｅｂサーバと、当該Ｗｅｂサーバにより提供される操作画面を表示するためのＷｅｂブラウザを備えた情報処理装置とを含む情報処理システムであって、前記情報処理装置は、ユーザを認証し、当該ユーザが正しく認証された場合に前記情報処理装置の使用を許可する認証手段と、前記認証手段による認証の結果として得られた情報を用いて、前記Ｗｅｂサーバに対して前記Ｗｅｂブラウザに表示すべき操作画面を要求する要求手段と、を備え、前記Ｗｅｂサーバは、前記情報処理装置から前記操作画面を要求された場合に、当該情報処理装置から前記情報を受信したか否かを判定する判定手段と、前記判定手段により、前記情報処理装置から前記情報を受信したと判定された場合に、該情報処理装置のＷｅｂブラウザに表示させるべき操作画面を当該情報処理装置に対して送信する送信手段と、を備えることを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
本発明によれば、情報処理装置での認証の結果として得られた情報を用いてＷｅｂサーバに操作画面を要求し、この情報を受信したことに応じてＷｅｂサーバが情報処理装置に操作画面を送信することができる。これにより、ユーザによる認証情報の入力の手間を軽減することができる。